(57)【要約】  本発明は、予め定められた第１の数のコンタクト形成しようとする機能要素を有する方向依存性の電気および／または電子構成部品（１０）をコンタクト形成するための装置（２０）であって、ベース体（２１）と、予め定められた第１の数の第１のコンタクトエレメント（２３）とを備えており、これらの第１のコンタクトエレメント（２３）が、所定のターミナル配列に従って、コンタクト形成しようとするそれぞれ１つの機能要素に割り当てられ、所定の位置決めで前記ベース体（２１）に配置されている形式のもの、並びにこのようなコンタクト形成装置（２０）を備えた所属の構成部品装置に関する。本発明によれば、前記第１のコンタクトエレメント（２３）の、前記ベース体（２１）に対する位置決めが、９０°の角度で回転対称的に構成されており、それによって、前記方向依存性の電気および／または電子構成部品（１０）を９０°回転させたときに、構成部品に基づく異なる機能要素が互いに向き合うことがないようになっている。  【選択図】図１
2014532985.tif 000002
【特許請求の範囲】
【請求項１】
予め定められた第１の数のコンタクト形成しようとする機能要素（１２．１〜１８．５）を有する方向依存性の電気および／または電子構成部品をコンタクト形成するための装置であって、ベース体（２１）と、予め定められた第１の数の第１のコンタクトエレメント（２３）とを備えており、これらの第１のコンタクトエレメント（２３）が、所定のターミナル配列に従って、コンタクト形成しようとするそれぞれ１つの機能要素（１２．１〜１８．５）に割り当てられ、所定の位置決めで前記ベース体（２１）に配置されている形式のものにおいて、
前記第１のコンタクトエレメント（２３）の、前記ベース体（２１）に対する位置決めが、９０°の角度で回転対称的に構成されており、それによって、前記方向依存性の電気および／または電子構成部品（１０）を９０°回転させたときに、構成部品に基づく異なる機能要素（１２．１〜１８．５）が互いに向き合うことがないようになっていることを特徴とする、方向依存性の電気および／または電子構成部品をコンタクト形成するための装置。
【請求項２】
前記ベース体（３２）が構成部品ハウジング（４６）の一部としてまたは構成部品ソケットとして構成されていることを特徴とする、請求項１に記載の装置。
【請求項３】
前記ベース体（３２）が円形または方形に構成されていることを特徴とする、請求項１または２に記載の装置。
【請求項４】
前記第１のコンタクトエレメント（２３）の数が、コンタクト形成しようとする前記機能要素（１２．１〜１８．５）の第１の数に相当することを特徴とする、請求項１から３のいずれか１項に記載の装置。
【請求項５】
構成部品装置であって、予め定められた第１の数のコンタクト形成しようとする機能要素（１２．１〜１８．５）を有する方向依存性の電気および／または電子構成部品と、構成部品支持体（３０）とを備えており、該構成部品支持体（３０）が、予め定められた第２の数の第２のコンタクトエレメント（３３）を備えた所定のレイアウトを有しており、前記方向依存性の電気および／または電子構成部品（１０）が、ベース体（２１）と複数の第１のコンタクトエレメント（２３）とを備えたコンタクト形成装置（２０）を有しており、前記第１のコンタクトエレメント（２３）が、所定のターミナル配列に従って、コンタクト形成しようとするそれぞれ１つの機能要素（１２．１〜１８．５）に割り当てられていて、所定の位置決めに従って前記ベース体（２１）に配置されている形式のものにおいて、
前記コンタクト形成装置（２０）が請求項１から４のいずれか１項に従って構成されていることを特徴とする、構成部品装置。
【請求項６】
前記第２のコンタクトエレメント（３３）の第２の数が、前記第１のコンタクトエレメント（２３）の第１の数の少なくとも２倍に選定されており、それぞれ１つの第１のコンタクトエレメント（２３）が２つの第２のコンタクトエレメント（３３）に接続可能であることを特徴とする、請求項５に記載の構成部品装置。
【請求項７】
前記第１のコンタクトエレメント（２３）が接続ピンとして構成されていて、前記第２のコンタクトエレメント（３３）がピン収容部として構成されていることを特徴とする、請求項６に記載の構成部品装置。
【請求項８】
前記第２のコンタクトエレメント（３３）は、方向依存性の電気および／または電子構成部品（１０）が第１の検出方向（Ｘ）を有する第１の位置でまたは第２の検出方向（Ｙ）を有する第２の位置で前記構成部品支持体（３０）とコンタクト形成可能であるように、前記構成部品支持体（３０）に配置されており、前記第２の検出方向（Ｙ）が、前記第１の検出方向（Ｘ）に対して９０°の角度を有していることを特徴とする、請求項５から７のいずれか１項に記載の構成部品装置。
【請求項９】
方向依存性の電気および／または電子構成部品（１０）の第１のコンタクトエレメント（２３）が、方向付けエレメント（１８．１）として構成されており、該方向付けエレメント（１８．１）は、前記第１の位置で、第１の電位に接続された第２のコンタクトエレメント（Ｈ１）とコンタクト形成されていて、前記第２の位置で、第２の電位に接続された別の第２のコンタクトエレメント（Ｈ８）に接続されており、前記方向付けエレメント（１８．１）に接続された電位を問い合わせることによって前記方向依存性の電気および／または電子構成部品（１０）の実際の方向付け、およびひいては実際の検出方向（Ｘ，Ｙ）が算出可能であることを特徴とする、請求項５から８のいずれか１項に記載の構成部品装置。
【請求項１０】
前記方向依存性の電気および／または電子構成部品（１０）が、加速度センサおよび／またはヨーレートセンサとして構成されていて、前記構成部品支持体（３０）がプリント配線板として構成されていることを特徴とする、請求項５から９のいずれか１項に記載の構成部品装置。
【発明の詳細な説明】
【技術分野】
【０００１】
本発明は、独立請求項１の前文に記載された形式の、方向依存性の電気および／または電子構成部品をコンタクト形成するための装置、およびこのようなコンタクト形成するための装置を備えた、独立請求項５の前文に記載された対応する構成部品装置に関する。
【背景技術】
【０００２】
現在では、構成部品のために、ターミナル配列（Ｐｉｎｎｉｎｇ：ピンニング）を含むハウジングが、大きさ（コスト）、短いボンド長さおよび検査可能性の観点に従って選択される。様々な要求を有する最も多くの顧客によって利用されるレイアウトを形成するために、今日ではプリント配線板上に非常に多くの実装位置が提供されなければならない。これは、限定的にしか提供されない面に基づいて、すぐに限界に達する。また構成部品特有の追加要求がなされる。センサにおいては、振動／共振が重要であり、このような振動／共振は、電子制御ユニット（ＥＣＵ）、プリント配線板および所望の検出装置の実装位置若しくはねじ固定個所に基づいて、さらに変化する。
【０００３】
特許文献１には、例えば基板および構成部品を実装装置に自動的に実装するための方法について記載されており、この場合、実装しようとする構成部品および／または個別回路は実装プログラムによって予め設定される。勿論、基板を実装するための複数の可能な実装変化例が存在する。従って、実装しようとする基板はそれぞれ、個別の識別記号を有している。追加的に、１つのプリント配線板記述に、可能な実装変化例および配置のリストが含まれる。次いで、実装装置内において、基板のこのような個別の識別記号に基づいて、各基板のための個別の実装変化例および配置が算出され、実装装置の実装プログラムに予め与えられる。実装プログラムによって、一般的な形式で、基板の実装経過のための手順が規定されるが、この場合、例えば実装しようとする基板の構成、使用された構成部品の記述その他を有するそれぞれの実装のための記述、いわゆるプリント配線板記述を前提としている。
【先行技術文献】
【特許文献】
【０００４】
【特許文献１】ドイツ連邦共和国特許公開第１０２００９０４２６５３号明細書
【発明の概要】
【０００５】
これに対して、独立請求項１の特徴を有する方向依存性の電気および／または電子構成部品をコンタクト形成するための本発明による装置、およびこれに対応する独立請求項５の特徴を有する構成部品装置は、方向依存性の構成部品において、９０°の角度で回転対称的に構成されたターミナル配列（Ｐｉｎｎｉｎｇ：ピンニング）を使用したことによって、構成部品または電子制御ユニット（ＥＣＵ）を使用することができる自由度およびフレキシブル性が著しく高められる、という利点を有している。追加的に、レイアウト面を節約できるか若しくはより簡単に最適な位置を使用することができる。「Ｐｉｎｎｉｎｇ：ピンニング」とは、本発明に関連して、構成要素若しくは構成部品に基づく機能要素を、構成要素若しくは構成部品の第１のコンタクトエレメントに割り当てるということである。
【０００６】
本発明の実施例によれば、顧客は、様々な検出方向を有する多くの使用例のために１つの標準レイアウトを使用することができるので、例えばヨーレートセンサを横転機能のためにも使用することもできる。制御ユニットコネクタは、様々な顧客のために様々な方向を向いていてよいので、標準レイアウトにおいて、方向依存性の電気および／または電子構成部品のために第２の実装位置が提供されなければならない。実装位置は、顧客が追加的に、対応する電子制御ユニット（ＥＣＵ）のための様々なねじ固定位置を使用することを考慮すれば、増えることになる。このような様々なねじ固定位置は、方向依存性の電気および／または電子構成部品がプリント配線板上の右若しくは左に限定的に配置されることを必要とする。４つの組立位置のうちの、９０°回転可能なコンタクト形成装置を有する方向依存性の電気および／または電子構成部品においては、既に２つの組立位置を削減することができる。
【０００７】
本発明の実施例によれば、予め定められた第１の数のコンタクト形成しようとする機能要素を有する方向依存性の電気および／または電子構成部品をコンタクト形成するための装置が提供されおり、この装置は、ベース体と、予め定められた第１の数の第１のコンタクトエレメントとを備えており、これらの第１のコンタクトエレメントが、所定のターミナル配列に従って、コンタクト形成しようとするそれぞれ１つの機能要素に割り当てられ、所定の位置決めでベース体に配置されている。本発明によれば、第１のコンタクトエレメントが前記ベース体に対して９０°の角度で回転対称的に構成されており、それによって、前記方向依存性の電気および／または電子構成部品を９０°回転させたときに、構成部品に基づく異なる機能要素が互いに向き合うことがないようになっている。
【０００８】
本発明の構成部品装置の実施例によれば、予め定められた第１の数のコンタクト形成しようとする機能要素を有する方向依存性の電気および／または電子構成部品と、構成部品支持体とを備えており、該構成部品支持体が、予め定められた第２の数の第２のコンタクトエレメントを備えた所定のレイアウトを有している。方向依存性の電気および／または電子構成部品は、ベース体と複数の第１のコンタクトエレメントとを備えた本発明によるコンタクト形成装置を有しており、前記第１のコンタクトエレメントが、所定のターミナル配列に従って、コンタクト形成しようとするそれぞれ１つの機能要素に割り当てられていて、前記ベース体に所定の位置決めに従って配置されている。ベース体における第１のコンタクトエレメントの位置決めは、本発明に従って９０°の角度で回転対称的に構成されているので、方向依存性の電気および／または電子構成部品を９０°回転させたときに、構成部品に基づく異なる機能要素が互いに向き合うことがないようになっている。
【０００９】
本発明の実施例は、例えばヨーレートセンサおよび／または加速度センサ等の方向依存性のセンサにおいてそうであるような、構成要素の整列が重要であるすべての領域に使用することができる。このような構成要素の交換可能性は、回転対称的な“Ｐｉｎｎｉｎｇ”を使用することによって高くなる。構成部品支持体は、例えばプリント配線板若しくは基板として構成されていてよい。
【００１０】
従属請求項に記載した手段および実施態様によって、独立請求項１に記載した方向依存性の電気および／または電子構成部品をコンタクト形成するための装置、並びに独立請求項５に記載した構成部品装置の好適な改良が可能である。
【００１１】
特に好適には、ベース体が構成部品ハウジングの一部としてまたは構成部品ソケットとして構成されている。これによって本発明の簡単な実現が可能である。構成部品ハウジングまたは組み込み状況に基づいて、ベース体は、例えば円形または方形に構成されていてよい。この場合、第１のコンタクトエレメントの数が、コンタクト形成しようとする前記機能要素の第１の数に相当する。
【００１２】
コンタクト形成装置が構成部品ソケットして構成されていて、この構成部品ソケット内に構成部品が差し込まれる実施例において、ターミナル配列若しくは、構成部品のコンタクト形成しようとする機能要素に対する第１のコンタクトエレメントの割り当ては、好適な形式で、対応する方向依存性の電気および／または電子構成部品が構成部品支持体上に、０°整列でも９０°整列でも実装できるように、適合される。これによって、好適な形式で、背景技術により公知の従来のセンサ型式を、回転対称性が得られるように、相応に適合させることが可能である。
【００１３】
本発明による構成部品装置の好適な実施態様によれば、第２のコンタクトエレメントの第２の数が、前記第１のコンタクトエレメントの第１の数の少なくとも２倍に選定されており、それぞれ１つの第１のコンタクトエレメントが２つの第２のコンタクトエレメントに接続可能である。
【００１４】
本発明による構成部品装置のさらに好適な実施態様によれば、第１のコンタクトエレメントが接続ピンとして構成されていて、前記第２のコンタクトエレメントがピン収容部として構成されている。
【００１５】
本発明による構成部品装置のさらに好適な実施態様によれば、第２のコンタクトエレメントは、方向依存性の電気および／または電子構成部品が第１の検出方向を有する第１の位置でまたは第２の検出方向を有する第２の位置で構成部品支持体とコンタクト形成可能であるように、構成部品支持体に配置されており、前記第２の検出方向が、前記第１の検出方向に対して９０°の角度を有している。
【００１６】
本発明による構成部品装置のさらに好適な実施態様によれば、方向依存性の電気および／または電子構成部品の第１のコンタクトエレメントが、方向付けエレメントとして構成されており、該方向付けエレメントは、前記第１の位置で、第１の電位に接続された第２のコンタクトエレメントとコンタクト形成されていて、前記第２の位置で、第２の電位に接続された別の第２のコンタクトエレメントに接続されており、前記方向付けエレメントに接続された電位を問い合わせることによって前記方向依存性の電気および／または電子構成部品の実際の方向付けおよびひいては実際の検出方向が算出可能である。これによって好適な形式で、意図しない誤実装、つまり方向依存性の電気および／または電子構成部品が間違った整列状態で取り付けられたことを簡単に自動検知することができる。従って、一方の第２のコンタクトエレメントは例えばアース電位に接続され、他方の第２のコンタクトエレメントは例えば供給電圧電位に接続される。方向依存性の電気および／または電子構成部品が第１の検出方向で実装されると、対応する第１のコンタクトエレメントはアース電位に接続される。方向依存性の電気および／または電子構成部品が９０°回転されて実装されると、対応する第１のコンタクトエレメントは供給電圧電位に接続される。従って、方向依存性の電気および／または電子構成部品は自ら、どの方向に取り付けられたかを検知することができるか、または情報を別のコンタクトエレメントを介して評価および制御ユニットに伝達し、この評価および制御ユニットが情報を相応に処理することができる。択一的に、方向依存性の電気および／または電子構成部品の方向付けは、自動的な光学検査（ＡＯＩ：Ａｕｔｏｍａｔｉｃ  Ｏｐｔｉｃａｌ  Ｉｎｓｐｅｃｔｉｏｎ）によって、方向依存性の電気および／または電子構成部品に施されたプリントを介して行われる。
【００１７】
対応するコンタクト形成装置若しくは方向依存性の電気および／または電子構成部品のピンニングは、本発明の実施態様により、方向依存性の電気および／または電子構成部品が構造部品支持体上に０°整列でも９０°整列でも実装できるように、適合されていてよい。対応するコンタクト形成装置の“Ｐｉｎｎｉｎｇ”は、９０°回転させたときに、構成要素若しくは構成部品に基づく２つの異なる機能要素が互いに向き合っていなければ、回転対称性の条件は満たされる。
【００１８】
本発明の実施例が図面に示されていて、以下に詳しく説明される。図面では、同じ若しくは類似の機能を有する同一の構成部材若しくは要素は、同じ符号で示されている。
【図面の簡単な説明】
【００１９】
【図１】本発明による構成部品装置の１実施例の概略的な断面図である。
【図２】本発明によるコンタクト形成装置の１実施例の、図１に示した構成部品装置のための第１の検出方向（Ｘ）における概略的な平面図である。
【図３】図２に示した本発明によるコンタクト形成装置の実施例の、第２の検出方向（Ｙ）における概略的な平面図である。
【図４】図１に示した構成部品装置のための図２および図３に示した本発明によるコンタクト形成装置を収容するための構成部品支持体の１実施例の概略的な平面図である。
【発明を実施するための形態】
【００２０】
図１〜図４に示されているように、本発明による構成部品装置１の図示の実施例は、コンタクト形成しようとする第１の所定数の機能要素１２．１〜１８．５を備えた、方向依存性の電気および／または電子構成部品１０、例えばヨーレートセンサまたは加速度センサと、構成部品支持体３０とを有しており、この構成部品支持体３０は、第２の所定数の第２のコンタクトエレメント３３を備えた所定のレイアウトを有している。方向依存性の電気および／または電子構成部品１０は、ベース体２１と複数の第１のコンタクトエレメント２３とを備えたコンタクト形成装置２０を有しており、前記第１のコンタクトエレメント２３は、所定のターミナル配列に従ってそれぞれ１つのコンタクト形成しようとする機能要素１２．１〜１８．５に割り当てられていて、所定の位置決めに従ってベース体２１に配置されている。
【００２１】
本発明によれば、ベース体２１における第１のコンタクトエレメント２３の位置決めは、９０°の角度で回転対称的に構成されているので、方向依存性の電気および／または電子構成部品１０は、９０°回転させた状態で、構成部品に基づく異なる機能要素１２．１〜１８．５が互いに向き合うことはない。
【００２２】
図１からさらに分かるように、図示の方向依存性の電気および／または電子構成部品１０は、ハウジング１５内に配置されたセンサエレメント１３を有していて、このセンサエレメント１３は、コンタクト形成しようとする所定の数の機能要素１２．１〜１８．５を備えていて、これらの機能要素１２．１〜１８．５は、図示の実施例では接続ピンとして構成された個別の第１のコンタクトエレメント２３に接続されており、この場合、第１のコンタクトエレメント２３の数は、コンタクト形成しようとする機能要素１２．１〜１８．５の数に相当する。図示の実施例では、ベース体３２は方形であって、ハウジング１５の一部として構成されていて、ハウジング１５を下方から閉鎖している。構成部品支持体３０は、図示の実施例では、ベース体３２を備えたプリント配線板として構成されていて、前記ベース体３２内に、ピン収容部としての第２のコンタクトエレメント３３が設けられている。図示してない択一的な実施例において、コンタクト形成装置２０は構成部品ソケットとして構成されていて、この構成部品ソケット内に構成部品１０が差し込まれる。これによって、構成部品１０のコンタクト形成しようとする機能要素１２．１〜１８．５に対する第１のコンタクトエレメント２３のターミナル配列若しくは割り当ては、好適な形式で、対応する方向依存性の電気および／または電子構成部品１０が構成部品支持体３０上に０°整列でも９０°整列でも差し込むことができるように、適合される。これによって、好適な形式で、背景技術により公知の従来のセンサ型式を、回転対称性を得るために、相応に適応させることができる。
【００２３】
さらに図２および図３により分かるように、図面および説明を簡略化するために、コンタクト形成装置２０は方形であって、行Ａ〜Ｈおよび列１〜８を有する予め設定された８×８グリッドで示されている。この場合、コンタクト形成しようとする機能要素１２．１〜１８．５に割り当てられた第１のコンタクトエレメント２３は、第１の検出方向Ｘで実装される場合は塗りつぶして示されており、第２の検出方向Ｙで実装される場合は斜線で示されている。図２および図３は、それぞれ方向依存性の電気および／または電子構成部品１０の本発明によるコンタクト形成装置２０を示す。図２では、コンタクト形成装置２０は第１の検出方向Ｘ（横方向）に整列されている。つまり対応する方向依存性の電気および／または電子構成部品１０は、関連する物理量が図示の第１の検出方向Ｘで検出されるように、整列されている。図３では、コンタクト形成装置２０が９０°の角度で回転されていて、第２の検出方向Ｙ（上下方向）に整列されている。つまり対応する方向依存性の電気および／または電子構成部品１０は、関連する物理量が図示の第２の検出方向Ｘで検出されるように、整列されている。
【００２４】
さらに図２および図３より分かるように、コンタクト形成しようとする機能要素１２．１〜１２．６は、グリッド位置Ａ１〜Ａ６における第１のコンタクトエレメント２３に割り当てられており、この場合、コンタクト形成しようとする機能要素１２．１がグリッド位置Ａ６における第１のコンタクトエレメント２３に割り当てられ、機能要素１２．２がグリッド位置Ａ５における第１のコンタクトエレメント２３に割り当てられ、等々である。コンタクト形成しようとする機能要素１４．１〜１４．６は、グリッド位置Ｂ１およびＢ２〜Ｂ７における第１のコンタクトエレメント２３に割り当てられており、この場合、コンタクト形成しようとする機能要素１４．１は、グリッド位置Ｂ７における第１のコンタクトエレメント２３に割り当てられ、機能要素１４．２は、グリッド位置Ｂ６における第１のコンタクトエレメント２３に割り当てられ、等々である。コンタクト形成しようとする機能要素１６．１〜１６．６は、グリッド位置Ｇ２〜Ｇ６およびＧ８における第１のコンタクトエレメント２３に割り当てられており、この場合、コンタクト形成しようとする機能要素１６．１は、グリッド位置Ｇ８における第１のコンタクトエレメント２３に割り当てられ、機能要素１６．２はグリッド位置Ｇ６における第１のコンタクトエレメント２３に割り当てられ、等々である。コンタクト形成しようとする機能要素１８．１〜１８．５は、グリッド位置Ｈ３およびＨ５〜Ｈ８における第１のコンタクトエレメント２３に割り当てられており、この場合、コンタクト形成しようとする機能要素１８．１はグリッド位置Ｈ８における第１のコンタクトエレメント２３に割り当てられ、機能要素１８．２はグリッド位置Ｈ７における第１のコンタクトエレメント２３に割り当てられ、等々である。
【００２５】
さらに図４に示されているように、図面および説明を簡略化するために、構成部品支持体３０は、コンタクト形成装置２０と同様に方形であって、行Ａ〜Ｈおよび列１〜８を有する予め設定された８×８グリッドで示されている。この場合、第２のコンタクトエレメント３３の数は、第１のコンタクトエレメント２３の数の２倍に設定されており、コンタクト形成装置２０の１つの第１のコンタクトエレメント２３がそれぞれ、構成部品支持体３０の２つの第２のコンタクトエレメント３３に接続可能である。図示の実施例では、第１の検出方向Ｘに整列された方向依存性の電気および／または電子構成部品１０を実装する際に、対応する第１のコンタクトエレメント２３を介してコンタクト形成しようとする機能要素１２．１〜１８．５に接続される、構成部品支持体３０の２つのコンタクトエレメント３３が、塗りつぶして示されている。第２の検出方向Ｙに整列された方向依存性の電気および／または電子構成部品１０を実装する際に、対応する第１のコンタクトエレメント２３を介してコンタクト形成しようとする機能要素１２．１〜１８．５に接続される、構成部品支持体３０の第２のコンタクトエレメント３３は斜線で示されている。
【００２６】
さらに図４に示されているように、ベース体２１における第１のコンタクトエレメント２３の位置決めは、９０°の角度で回転対称的に構成されているので、方向依存性の電気および／または電子構成部品１０を９０°回転させた状態で、構成部品に基づく異なる機能要素１２．１〜１８．５が互いに向き合うことはない。何故ならば、第２のコンタクトエレメント３３はいずれも、コンタクト形成しようとする２つの異なる機能要素１２．１〜１８．５に接続可能ではないからである。つまり、第１の検出方向Ｘで実装する際に使用される第２のコンタクトエレメント３３は、第２の検出方向Ｙで実装する際には使用されず、またその逆である。検出方向とは無関係に、方向依存性の電気および／または電子構成部品１０を支障なく運転することができるようにするために、コンタクト形成しようとする同じ機能要素１２．１〜１８．５に接続可能な、構成部品支持体３０の第２のコンタクトエレメント３３は、互いに電気的に接続されている。
【００２７】
この実施例では例外的に、構成部品支持体３０の第２のコンタクトエレメント３３が、実装された方向依存性の電気および／または電子構成部品１０の方向付けを自動的に求めるために使用できるように形成されている。このために、コンタクト形成装置２０においてグリッド位置Ｈ８に配置された、方向依存性の電気および／または電子構成部品１０の第１のコンタクトエレメント２３は、方向付けエレメント１８．１として使用される。さらに、構成部品支持体３０においてグリッド位置Ｈ１に配置された第２のコンタクトエレメント３３はアース電位に接続され、構成部品支持体３０においてグリッド位置Ｈ８に配置された第２のコンタクトエレメント３３は供給電圧電位に接続される。方向依存性の電気および／または電子構成部品１０が第１の検出方向Ｘに実装されると、これに対応する、コンタクト形成装置２０のグリッド位置Ｈ８に配置された第１のコンタクトエレメント２３は、構成部品支持体３０のグリッド位置Ｈ８に配置された、第２のコンタクトエレメント３３、およびひいてはアース電位に接続される。方向依存性の電気および／または電子構成部品１０が９０°回転して実装されると、これに対応する、コンタクト形成装置２０のグリッド位置Ｈ８に配置された第１のコンタクトエレメント２３は、構成部品支持体３０のグリッド位置Ｈ１に配置された第２のコンタクトエレメント３３に接続され、ひいては供給電圧電位に接続される。方向依存性の電気および／または電子構成部品の実装位置に基づいて異なる電圧電位によって、方向依存性の電気および／または電子構成部品１０は、どの検出方向に組み込まれるかを自動的に検知することができ、またはこの情報を別のコンタクトエレメントを介して、この情報を相応に処理する評価および制御ユニットに伝送することができる。
【００２８】
択一的に、方向依存性の電気および／または電子構成部品１０の方向付けは、自動的な光学検査（ＡＯＩ：Ａｕｔｏｍａｔｉｃ  Ｏｐｔｉｃａｌ  Ｉｎｓｐｅｃｔｉｏｎ）によって、方向依存性の電気および／または電子構成部品１０に施されたプリントを介して行われる。
【００２９】
本発明の実施例は、９０°の角度で回転対称的に構成されたターミナル配列によって好適な形式で、方向依存性の構成要素若しくは構成部品のためのフレキシブル性および自由度が高められる。これによって、プリント配線板上に余分に多くの実装位置を設ける必要なしに、様々な要求を有する最も多くの顧客によって使用される標準レイアウトが作成される。
【符号の説明】
【００３０】
１  構成部品装置
１０  電気および／または電子構成部品
１２．１〜１８．５  機能要素
１３  センサエレメント
１５  ハウジング
１８．１  方向付けエレメント
２０  コンタクト形成装置
２１  ベース体
２３  第１のコンタクトエレメント
３０  構成部品支持体
３２  ベース体
３３  第２のコンタクトエレメント
４６  構成部品ハウジング
１〜８  列
Ａ〜Ｈ  行
【図１】
2014532985.tif 000003
【図２】
2014532985.tif 000004
【図３】
2014532985.tif 000005
【図４】
2014532985.tif 000006
【国際調査報告】
2014532985.tif 000007
2014532985.tif 000008
2014532985.tif 000009
2014532985.tif 000010